【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
ユーザが行なう指示により、制御対象となる機器を制御するための機器操作装置であって、
前記制御対象となる機器は、自己の動作状態に関する情報を取得するための機能、及び与えられた制御命令に従って、所定の状態に自己の動作状態を設定する機能を有し、
前記機器操作装置は、
予め定める第１の信号をユーザの入力に従い生成するための第１の入力手段と、
予め定める第２の信号をユーザの入力に従い生成するための第２の入力手段と、
前記第１の信号に応答して、制御対象となる機器の、当該第１の信号が生成された時点での動作状態を復元するために必要な復元情報を取得し記憶するための取得手段と、
前記第２の信号に応答して、前記取得手段に記憶されている前記復元情報を読出し、前記第１の信号が生成された時点での動作状態を、制御対象となる機器が前記復元情報に基づいて復元するために必要な、予め定められた処理を行なうための処理手段とを含む、機器操作装置。
【請求項２】
前記処理手段は、前記第２の信号に応答して、前記取得手段に記憶されている前記復元情報を読出し、予め定められた送信先に送信するための送信手段を含む、請求項１に記載の機器操作装置。
【請求項３】
前記送信手段は、前記第２の信号に応答して、前記取得手段に記憶されている前記復元情報を読出し、当該復元情報により特定される送信先に送信するための手段を含む、請求項２に記載の機器操作装置。
【請求項４】
前記制御対象となる機器は複数存在し、
前記第１の入力手段は、複数の前記対象となる機器の一部の機器を特定するユーザの指示に応答して、前記第１の信号を生成するための手段を含み、前記第１の信号は、前記指示により特定される機器を識別する情報を含み、
前記取得手段は、前記第１の信号に応答して、前記識別する情報により識別される機器に関する前記復元情報を取得し、前記識別する情報と共に記憶するための手段を含む、請求項１に記載の機器操作装置。
【請求項５】
前記第２の入力手段は、
前記記憶するための手段に記憶された前記識別する情報をユーザに対して提示するための手段と、
前記ユーザに対して提示された前記識別する情報の一部を選択するユーザの指示に応答して、前記第２の信号を生成するための手段とを含み、前記第２の信号は、当該ユーザにより選択された前記識別する情報を特定するための情報を含む、請求項４に記載の機器操作装置。
【請求項６】
予め定める第３の信号をユーザの入力に従い生成するための第３の入力手段をさらに含み、
前記提示するための手段は、前記第３の信号に応答して前記記憶するための手段に記憶された前記識別する情報をユーザに対して提示する、請求項５に記載の機器操作装置。
【請求項７】
操作可能な制御対象となる機器及び当該機器の属性を示す属性情報を取得するための属性情報取得手段と、
予め定める第３の信号をユーザの入力に従い生成するための第３の入力手段とをさらに含み、
前記第２の入力手段は、
前記第３の信号に応答して、前記属性取得手段により取得された属性情報と、前記取得手段に記憶されている前記復元情報とを照合し、前記属性情報と所定の関係にある復元情報を選択するための手段と、
前記選択するための手段により選択された情報を、前記選択するための手段により非選択とされた情報と異なる態様でユーザに提示するための手段と、
前記ユーザに対して提示された前記情報の一部をユーザが選択したことに応答して、前記第２の信号を生成するための手段とを含み、前記第２の信号は、当該ユーザにより選択された前記情報を特定するための情報を含む、請求項４に記載の機器操作装置。
【請求項８】
前記第３の入力手段は、前記操作可能な機器の一部の機器を特定するユーザの入力に応答して、前記第３の信号を生成するための手段を含み、前記第３の信号は、前記特定される機器と所定の関係にある前記属性情報を識別するための情報を含み、
前記選択するための手段は、前記第３の信号によって識別される前記属性情報と、前記取得手段に記憶されている前記復元情報とを照合し、前記識別される属性情報と所定の関係にある復元情報を選択する、請求項７に記載の機器操作装置。
【請求項９】
前記第２の入力手段は、複数の前記制御対象となる機器の一部の機器を特定するユーザの指示に応答して、前記第２の信号を生成するための手段を含み、前記第２の信号は前記特定される機器を識別するための情報を含み、
前記処理手段は、前記第２の信号に応答して、前記取得手段に記憶されている前記復元情報を読出し、前記第１の信号により識別される機器の前記第１の信号が生成された時点での動作状態を、前記第２の信号により識別される機器が前記復元情報に基づいて復元するために必要な、予め定められた処理を行なうための手段を含む、請求項４に記載の機器操作装置。
【請求項１０】
操作可能な制御対象となる機器及び当該機器の属性を示す属性情報を取得するための属性情報取得手段をさらに含み、
前記第２の信号は、前記特定される機器と所定の関係にある前記属性情報を識別するための情報をさらに含み、
前記処理を行なうための手段は、
前記第２の信号に応答して、前記取得手段に記憶されている前記復元情報を読出すための手段と、
読出された復元情報を、前記第２の信号により識別される属性情報に基づき、前記第１の信号により識別される機器の前記第１の信号が生成された時点での動作状態を、前記第２の信号により識別される機器が復元するために必要な情報に変換するための手段と、
前記第１の信号が生成された時点での動作状態を、前記変換するための手段により変換された情報に基づいて、前記第２の信号により識別される機器が復元するために必要な、予め定められた処理を行なうための手段を含む、請求項９に記載の機器操作装置。
【請求項１１】
前記制御対象となる機器は、自己の動作状態を規定するパラメタの設定値に従い動作し、前記自己の動作状態に関する情報として、前記パラメタを識別する情報及び当該パラメタの設定値を取得するための機能と、パラメタを識別する情報及び設定値が与えられると、当該パラメタに当該設定値を設定する機能とを有し、
前記取得手段は、前記制御対象となる機器の、前記第１の信号が生成された時点での動作状態を規定するパラメタを識別する情報及び当該パラメタの設定値を含む復元情報を取得し記憶するための手段を含む、請求項１に記載の機器操作装置。
【請求項１２】
コンピュータ上で実行されると、当該コンピュータを請求項１から請求項１１のいずれかに記載の機器操作装置として動作させる、コンピュータで実行可能なコンピュータプログラム。
【請求項１３】
制御対象となる機器の動作状態を監視し、当該機器の動作状態に関する情報を取得するための監視手段と、
前記監視手段が取得した情報を、予め定められた送信先に送信するための送信手段と、
前記制御対象となる機器の動作状態を指定する復元情報を受信するための受信手段と、
前記受信手段が受信した復元情報に基づき、前記制御対象となる機器の動作状態を、前記復元情報により指定された状態に設定する制御を実行するための制御手段とを含む、監視制御装置。
【請求項１４】
前記送信手段は、
前記動作状態を示す情報を、予め定められた形式の情報に変換するための変換手段と、
前記変換手段が変換した情報を、前記送信先に送信するための手段とを含む、請求項１３に記載の監視制御装置。
【請求項１５】
前記制御手段は、前記復元情報を、前記制御対象となる機器を制御するための制御命令に変換するための手段と、
前記制御命令を前記制御対象となる機器に与えるための手段とを含む、請求項１３に記載の監視制御装置。
【請求項１６】
前記制御対象となる機器及び当該機器の属性を示す機器属性情報を準備するための手段と、
前記機器属性情報を前記送信先に送信するための手段とをさらに含む、請求項１３に記載の監視制御装置。
【請求項１７】
前記制御対象となる機器は、自己の動作状態を規定するパラメタの設定値に従い動作する機器であって、
前記監視手段は、前記制御対象となる機器の動作状態を監視し、当該機器のパラメタの設定値を取得するためのパラメタ監視手段を含み、
前記復元情報は前記制御対象となる機器の動作を規定するパラメタを識別する情報及びその設定値を含み、
前記制御手段は、前記復元情報に基づき、前記制御対象となる機器の前記パラメタの値を、前記復元情報に含まれる設定値にするためのパラメタ設定手段を含む、請求項１３に記載の監視制御装置。
【請求項１８】
前記パラメタ設定手段は、
前記受信手段が受信した前記復元情報が、前記制御対象となる機器のための復元情報か否かを判定するための判定手段と、
前記判定手段により前記復元情報が前記制御対象となる機器のための復元情報であると判定されたことに応答して、前記受信手段が受信した前記復元情報を前記制御手段に与えるため手段と、
前記判定手段により前記復元情報が前記制御対象となる機器のための復元情報でないと判定されたことに応答して、前記受信手段が受信した前記復元情報を、前記制御対象となる機器のための復元情報に変換して前記制御手段に与えるための変換手段とを含む、請求項１７に記載の監視制御装置。
【請求項１９】
前記変換手段は、
前記他の装置のパラメタを識別する情報及び設定値と前記制御対象となる機器のパラメタを識別する情報及び設定値との間で変換を行なうための対応関係を示す変換テーブルを記憶した変換テーブル記憶手段と、
前記変換テーブルを参照して、前記受信手段が受信した前記復元情報を、前記制御対象となる機器のための復元情報に変換して前記制御手段に与えるための手段とを含む、請求項１８に記載の監視制御装置。
【請求項２０】
コンピュータ上で実行されると、当該コンピュータを請求項１３から請求項１９のいずれかに記載の監視制御装置として動作させる、コンピュータで実行可能なコンピュータプログラム。
【請求項２１】
制御対象となる機器を制御するサービスを提供するためのサービス提供装置であって、
前記制御対象となる機器は、自己の動作状態に関する情報を取得する機能、及び与えられた制御命令に従って、所定の動作状態に自己の状態を設定する機能を有し、
前記制御対象となる機器より当該機器の動作状態に関する情報を取得するための手段と、
前記動作状態に関する情報に基づいて、前記制御対象となる機器の動作状態を復元させるために必要な復元情報を作成するための情報作成手段と、
予め定められたリクエストに応答し、前記復元情報を、前記リクエストの送信元に送信するための情報送信手段とを含む、サービス提供装置。
【請求項２２】
前記情報作成手段は、予め定められた形式で、前記復元情報を作成するための手段を含む、請求項２１に記載のサービス提供装置。
【請求項２３】
前記制御対象となる機器及び当該機器の属性を示す属性情報を取得するための属性情報取得手段をさらに含み、
前記情報作成手段は、前記動作状態を示す情報と、前記属性情報とに基づいて、前記復元情報を作成するための手段を含む、請求項２１に記載のサービス提供装置。
【請求項２４】
前記リクエストの送信元に対して、前記属性情報を送信するための手段をさらに含む、請求項２３に記載のサービス提供装置。
【請求項２５】
前記リクエストは、前記制御対象となる機器を指定する情報を含み、
前記情報作成手段は、前記リクエストに応答して、前記指定する情報により指定された機器の動作状態を設定するための復元情報を作成するための手段を含む、請求項２１に記載のサービス提供装置。
【請求項２６】
前記サービス提供装置は、
前記復元情報を受信するための復元情報受信手段と、
前記復元情報受信手段が受信した復元情報により指定された機器に対して、当該復元情報を送信するための復元情報送信手段とをさらに含む、請求項２１に記載のサービス提供装置。
【請求項２７】
前記受信した復元情報により指定された状態への動作状態の設定が可能か否かを前記動作状態に関する情報に基づいて判定するための判定手段をさらに含み、
前記復元情報送信手段は、前記判定手段が設定可能であると判定したことに応答して、判定対象となった前記復元情報により指定された機器に対して、当該復元情報を送信するための手段をさらに含む、請求項２６に記載のサービス提供装置。
【請求項２８】
前記制御対象となる機器は複数存在し、
前記判定手段が設定不可能と判定したことに応答して、判定対象となった前記復元情報を再構成し、当該復元情報によって指定された機器により実現される機能を、当該機器と異なる複数の前記制御対象となる機器の複数を用いて実現させるための、複数の新たな復元情報を作成するための再構成手段と、
前記複数の新たな復元情報を、当該新たな復元情報により指定される複数の機器に対してそれぞれ送信するための手段とをさらに含む、請求項２７に記載のサービス提供装置。
【請求項２９】
前記サービス提供装置は、前記制御対象となる機器及び当該機器の属性を示す属性情報を取得するための属性情報取得手段をさらに含み、
前記再構成手段は、前記属性情報に基づき、前記判定対象となった復元情報によって指定された動作状態を実現させる機器を選定するための選定手段と、
前記復元情報と前記選定手段が選定した複数の機器に関する属性情報とに基づき、前記選定手段が選定した複数の機器を用いて前記機能を実現させるための、複数の新たな復元情報を作成するための手段とを含む、請求項２８に記載のサービス提供装置。
【請求項３０】
前記制御対象となる機器は、自己の動作状態を規定するパラメタの設定値に従い動作し、前記自己の動作状態に関する情報として、前記パラメタを識別する情報及び当該パラメタの設定値を取得するための機能と、パラメタを識別する情報及び設定値が与えられると、当該パラメタに当該設定値を設定する機能とを有し、
前記取得手段は、前記制御対象となる機器の動作状態に関する情報として前記パラメタを識別する情報及び当該パラメタの設定値を取得するための手段を含む、請求項２１に記載のサービス提供装置。
【請求項３１】
コンピュータ上で実行されると、当該コンピュータを請求項２１から請求項３０のいずれかに記載のサービス提供装置として動作させる、コンピュータで実行可能なコンピュータプログラム。
【請求項３２】
請求項１２、請求項２０、及び請求項３１のいずれかに記載のコンピュータプログラムが記録された、コンピュータで読取可能な記録媒体。
【手続補正２】
【補正対象書類名】明細書
【補正対象項目名】００６３
【補正方法】変更
【補正の内容】
【００６３】
好ましくは、制御対象となる機器は、自己の動作状態を規定するパラメタの設定値に従い動作し、自己の動作状態に関する情報として、パラメタを識別する情報及びパラメタの設定値を取得するための機能と、パラメタを識別する情報及び設定値が与えられると、当該パラメタに当該設定値を設定する機能とを有し、取得手段は、制御対象となる機器の動作状態に関する情報としてパラメタを識別する情報及びその設定値を取得するための手段を含む。
【手続補正３】
【補正対象書類名】明細書
【補正対象項目名】００６４
【補正方法】変更
【補正の内容】
【００６４】
本発明の第６の局面に係るコンピュータプログラムは、コンピュータ上で実行されると、当該コンピュータを本発明の第５の局面に係るサービス提供装置として動作させる。
【手続補正４】
【補正対象書類名】明細書
【補正対象項目名】００８８
【補正方法】変更
【補正の内容】
【００８８】
管理サーバ装置１０４はさらに、第１の通信部１６０を介して、操作端末装置１０６より、実世界ブックマークを要求する情報又は実世界ブックマークを取得する要求取得部１７０を含む。管理サーバ装置１０４はさらに、取得した情報に従い、機器状態記憶部１６８に記憶された機器状態情報に基づき、実世界ブックマークを作成する実世界ブックマーク作成部１７２を含む。なお、要求取得部１７０は、取得した情報を判別し、実世界ブックマークを第２の通信部１６２に与える動作と、実世界ブックマーク要求情報を実世界ブックマーク作成部１７２に与える動作とを選択的に行なう機能を有する。
【手続補正５】
【補正対象書類名】明細書
【補正対象項目名】００９３
【補正方法】変更
【補正の内容】
【００９３】
図５に、図４の機器属性記憶部１８２に記憶される機器属性情報の一例を示す。図５に示す機器属性情報２００はテレビジョン受像機（以下、「ＴＶ」と呼ぶ。）に関する機器属性情報である。この機器属性情報２００はテキストファイル形式であり、かつマークアップ言語の一形式であるＸＭＬ（ｅＸｔｅｎｓｉｂｌｅ  Ｍａｒｋｕｐ  Ｌａｎｇｕａｇｅ）の形式を有している。
【手続補正６】
【補正対象書類名】明細書
【補正対象項目名】０１０８
【補正方法】変更
【補正の内容】
【０１０８】
―動作の概要―
以下に、本実施の形態に係る実世界ブックマーク処理システムの動作の概要について説明する。本実施の形態に係る実世界ブックマーク処理システムは、以下に示す３局面の動作を実行する。第１の局面は、管理サーバ装置１０４及び操作端末装置１０６が操作可能な実世界ブックマーク対応機器１０２を認識し、実世界ブックマーク対応機器１０２の機器属性情報を取得する動作、及び管理サーバ装置１０４が被制御機器１０８より機器状態情報を取得する動作である。第２の局面は、管理サーバ装置１０４が実世界ブックマークを作成し、これを操作端末装置１０６が取得し記憶する動作である。第３の局面は、ユーザの入力に従い、指定された実世界ブックマークにより、被制御機器１０８の動作状態を再現する動作である。
【手続補正７】
【補正対象書類名】明細書
【補正対象項目名】０１１５
【補正方法】変更
【補正の内容】
【０１１５】
監視制御装置１１０は、受信した実世界ブックマーク２６０を解読し、再現するべき被制御機器１０８の動作状態を規定するパラメタの名称及び設定値を読出す。監視制御装置１１０は、被制御機器１０８の、このパラメタの名称により識別されるパラメタに、指定された設定値を設定し、所望の動作状態が再現されるように被制御機器１０８を制御する。例えば、受信した実世界ブックマーク２６０に機器状態情報「ｃ」２５６が含まれている場合、監視制御装置１１０は、機器状態情報「ｃ」２５６により指定された被制御機器１０８のパラメタに、指定された設定値を設定する。被制御機器１０８は、監視制御装置１１０による制御に従い、パラメタにより規定される動作の状態を、設定値により指定された状態にする。その動作状態は、通常の動作２５０から監視制御装置１１０の制御による動作２６２に移行する。よってその動作状態は「状態Ｄ」から所望の状態である「状態Ｃ」に移行する。
【手続補正８】
【補正対象書類名】明細書
【補正対象項目名】０１２１
【補正方法】変更
【補正の内容】
【０１２１】
図３を参照して、管理サーバ装置１０４の第２の通信部１６２が実世界ブックマーク対応機器１０２より情報を受信すると、第２の通信部１６２は、受信した情報を機器情報取得部１６４に与える。機器情報取得部１６４は、与えられた情報が機器属性情報（図５又は図６参照）であるか、機器状態情報（図８参照）であるかを判定する。ここで与えられる情報は機器属性情報であるので、機器情報取得部１６４は判定結果に基づき、与えられた情報を機器属性記憶部１６６に格納する。
【手続補正９】
【補正対象書類名】明細書
【補正対象項目名】０１２３
【補正方法】変更
【補正の内容】
【０１２３】
再び図２を参照して、操作端末装置１０６の通信部１４０は、管理サーバ装置１０４より機器属性情報（図５又は図６）を受信すると、これを機器属性取得部１４２に与える。機器属性取得部１４２は、与えられた機器属性情報を機器属性記憶部１４４に格納する。
【手続補正１０】
【補正対象書類名】明細書
【補正対象項目名】０１２７
【補正方法】変更
【補正の内容】
【０１２７】
図１１を参照して、実世界ブックマーク取得部１４８はさらに、ユーザに確認を行なうための確認画面２７６を作成し、ユーザ・インタフェース部１４８を用いて表示する。確認画面２７６は、実世界ブックマークの取得動作の開始を告知する文２７８と、ブックマークの取得を指示するための「取得」ボタン２８０と、ブックマークの取得の中止を指示するための「中止」ボタン２８２とを含む。ユーザが「確認」ボタン２８０を押すと、実世界ブックマーク取得部１４８はこれに応答して、実世界ブックマーク要求情報を、通信部１４０を介して管理サーバ装置１０４に送信する。なお、ユーザが「中止」ボタン２８２を押した場合、実世界ブックマークを取得する動作を中止する。
【手続補正１１】
【補正対象書類名】明細書
【補正対象項目名】０１３５
【補正方法】変更
【補正の内容】
【０１３５】
図３を参照して、管理サーバ装置１０４の要求取得部１７０が、第１の通信部１６０を介して実世界ブックマークを受信すると、要求取得部１７０は、受信した情報が実世界ブックマークであることに応答して、実世界ブックマークを第２の通信部１６２に与える。第２の通信部１６２は、実世界ブックマークに記載された実世界ブックマーク対応機器のアドレスをもとに、これを図４に示す実世界ブックマーク対応機器１０２に送信する。
【手続補正１２】
【補正対象書類名】明細書
【補正対象項目名】０１４６
【補正方法】変更
【補正の内容】
【０１４６】
ＣＰＵ３３０が実行するプログラムは、アップデートのためにネットワークから書換えられるものであることが望ましい。又は、プログラムをＣＤ−ＲＯＭ等の記録媒体に記録しておき、読出装置からＲＯＭ３５２に書込むようにしてもよい。プログラムはまた、記憶装置３５６に書込むようにすることもできる。
【手続補正１３】
【補正対象書類名】明細書
【補正対象項目名】０１７５
【補正方法】変更
【補正の内容】
【０１７５】
操作端末装置６０２はさらに、図２に示す第１の実施の形態に係る実世界ブックマーク再現要求部１５２に替えて、ユーザによる入力に従い、候補機器選択部６１０より候補となる機器の機器属性情報を取得し、実世界ブックマーク選択部６１２より再現可能な実世界ブックマークを取得し、取得した機器属性情報と実世界ブックマークとに基づき実世界ブックマークと動作状態を再現させる機器とを特定し、通信部１４０を介して、実世界ブックマークによる動作状態の再現を管理サーバ１０４に要求する実世界ブックマーク再現要求部６１４を含む。
【手続補正１４】
【補正対象書類名】明細書
【補正対象項目名】０１７７
【補正方法】変更
【補正の内容】
【０１７７】
図２０に、図１９に示す書換部６１６が行なう実世界ブックマークの書換の例を示す。図２０を参照して、実世界ブックマーク６２０は、図９に示す実世界ブックマーク２４０と同様のものであり、８行目から１０行目までの個所６２２は、動作状態の再現対象である実世界ブックマーク対応機器の名称とシリアル番号、実世界ブックマーク対応機器のアドレス、及びその被制御機器の種別を示す。書換部６１６はこの部分を、与えられた機器属性情報の該当する個所と一致するように書換を行ない、新たな実世界ブックマーク６２４を作成する。新たな実世界ブックマーク６２４の８行目から１０行目までの個所６２６は、新たに動作状態の再現を実行させる対象となる実世界ブックマーク機器の名称とシリアル番号、実世界ブックマーク対応機器のアドレス、及びその被制御機器の種別を示すことになる。
【手続補正１５】
【補正対象書類名】明細書
【補正対象項目名】０１８２
【補正方法】変更
【補正の内容】
【０１８２】
この後、実世界ブックマーク６４０による動作状態の再現を、第２の実世界ブックマーク処理システム６５０で行なうことをユーザが所望したとする。第１の実世界ブックマーク処理システム６３０と第２の実世界ブックマーク処理システム６５０とが同一の構成であったならば、実施の形態１に係る動作の第３の局面を第２の実世界ブックマーク処理システム６５０で実行することにより、第２の実世界ブックマーク処理システム６５０においても所望の動作状態を再現させることができる。しかし、第１の実世界ブックマーク処理システム６３０と第２の実世界ブックマーク処理システム６５０とが、必ずしも同一の構成であるとは限らない。このような場合、実世界ブックマーク６４０をそのまま管理サーバ装置１０４Ｂに送信しても、動作状態の再現を行なうことができない。
【手続補正１６】
【補正対象書類名】明細書
【補正対象項目名】０２０３
【補正方法】変更
【補正の内容】
【０２０３】
図２２を参照して、ユーザが「機器を選択」ボタン７１２を押すと、その入力は、図１９に示すユーザ・インタフェース部１４６を介して実世界ブックマーク再現要求部６１４に与えられる。図１９を参照して、実世界ブックマーク再現要求部６１４は、候補機器選択部６１０に対して、機器属性情報を求める信号を与える。
【手続補正１７】
【補正対象書類名】明細書
【補正対象項目名】０２０５
【補正方法】変更
【補正の内容】
【０２０５】
実世界ブックマーク再現要求部６１４は、与えられた機器属性情報に基づき、図２４に示す機器の選択画面７４０を作成し、ユーザ・インタフェース部１４６で表示する。図２４を参照して、機器の選択画面７４０には、候補機器選択部６１０が読出した機器属性情報によって示される実世界ブックマーク機器の一覧７４２と、ユーザがそれらの機器のいずれかを選択する入力を行なうための「選択」ボタン７４４とが表示される。ユーザは、一覧７４２から所望の機器を選択し、さらに「選択」ボタン７４４を押すことにより、実世界ブックマークを再現させる機器を指定する。
【手続補正１８】
【補正対象書類名】明細書
【補正対象項目名】０２１８
【補正方法】変更
【補正の内容】
【０２１８】
Ｓ７７２では、記憶している実世界ブックマークの内、現時点での実世界ブックマークシステムにおいて動作状態の再現が可能なものの一覧をユーザに提示する。Ｓ７７４では、ユーザが提示画面を見て行なう実世界ブックマークの指定入力を取得する。
【手続補正１９】
【補正対象書類名】明細書
【補正対象項目名】０２２０
【補正方法】変更
【補正の内容】
【０２２０】
一方、制御がＳ７７０からＳ７８２に進んだ場合、Ｓ７８２では、記憶している機器属性情報に基づき、実世界ブックマーク対応機器の一覧を提示する。Ｓ７８４では、ユーザが提示画面を見て行なう実世界ブックマーク対応機器の指定入力を取得する。
【手続補正２０】
【補正対象書類名】明細書
【補正対象項目名】０２２５
【補正方法】変更
【補正の内容】
【０２２５】
また、実世界ブックマークの取得時とは異なる実世界ブックマーク処理システムで、実世界ブックマークに基づく動作状態の再現をユーザが求める場合に、端末装置を用いてユーザが行なう基本的な操作は、実世界ブックマークを選択指定する操作と、再現可能な機器から所望の機器を選択する操作のみである。さらに実世界ブックマークを選択する操作は、実世界ブックマーク処理システムの違いに関係なく同様の操作であり、所望の機器を選択する操作は、実世界ブックマークを取得する際の操作方法と同様の操作である。即ち、ユーザは、ある実世界ブックマーク処理システムで取得した実世界ブックマークを別の実世界ブックマーク処理システムに含まれる機器で再現させるために、新たな操作方法を習得する必要がない。よって、被制御機器が属する実世界ブックマーク処理システムの違いに関係なく、一貫した容易な操作によって、被制御機器に所望の動作を行なわせることができる。
【手続補正２１】
【補正対象書類名】明細書
【補正対象項目名】０２５８
【補正方法】変更
【補正の内容】
【０２５８】
実世界ブックマーク解読部８８８は、図４に示す実世界ブックマーク解読部１９０と同様に、取得した実世界ブックマークを、読替データ記憶部１８６に記憶された読替データに基づいて解読し、被制御機器１０８に再現させる動作状態を規定するパラメタの名称及び設定値を特定し、パラメタとその設定値との組を機器状態再現部１９２に与える機能を有する。ただし、実世界ブックマーク解読部８８８は、図４に示すブックマーク解読部１９０と異なり、ブックマーク判定部８８４とブックマーク変更部８８６との双方から実世界ブックマークを受け、上記した処理を行なう。
【手続補正２２】
【補正対象書類名】明細書
【補正対象項目名】０２６７
【補正方法】変更
【補正の内容】
【０２６７】
変更テーブル９５０によると、被制御機器９００の「ｓｈａｒｐｎｅｓｓ」というパラメタの設定値は「０」、「１」、及び「２」である。これに対して、被制御機器９０２の「ｓｈａｒｐｎｅｓｓ」というパラメタの設定値は「ｓｏｆｔ」、「ｄｙｎａｍｉｃ」、及び「ｓｈａｒｐ」である。また、被制御機器９０２のサラウンド効果の設定に関するパラメタ「ｓｕｒｒｏｕｎｄ」の設定値は、「５．１」、「２．０」、及び「ｏｆｆ」の３種類であるのに対し、被制御機器９００のサラウンド効果の設定値は「ｏｎ」及び「ｏｆｆ」の２種類である。
【手続補正２３】
【補正対象書類名】明細書
【補正対象項目名】０２６８
【補正方法】変更
【補正の内容】
【０２６８】
被制御機器９０２を取得対象とする実世界ブックマークを、変更テーブル９５０を用いて変更すると、パラメタ「ｓｈａｒｐｎｅｓｓ」に対応する設定値が「ｓｏｆｔ」、「ｄｙｎａｍｉｃ」、及び「ｓｈａｒｐ」から、「０」、「１」、及び「２」にそれぞれ変更される。また例えば、パラメタ「ｓｕｒｒｏｕｎｄ」の設定値の表記に「５．１」という設定値が記載されていた場合、対応関係が成立しないので、このパラメタについての記載は省略され、被制御機器９００でこの機能は使用されない。
【手続補正２４】
【補正対象書類名】明細書
【補正対象項目名】０２７２
【補正方法】変更
【補正の内容】
【０２７２】
ブックマーク判定部８８４は、これら両者の機器属性情報の、被制御機器名及び種別が一致するか否かを判定する。ブックマーク判定部８８４は、被制御機器の機器名及び種別が一致したことに応答して、受信した実世界ブックマークを実世界ブックマーク解読部８８８に与える。実世界ブックマーク解読部８８８は、図４に示す実世界ブックマーク解読部１９０と同様の動作で、パラメタの名称及び設定値を機器状態再現部１９２に与える。機器状態再現部１９２は、第１の実施の形態に係る動作と同様の動作で被制御機器１０８のパラメタに、与えられた設定値を設定する。これにより、被制御機器１０８は、所望の動作を実行する。
【手続補正２５】
【補正対象書類名】明細書
【補正対象項目名】０２７５
【補正方法】変更
【補正の内容】
【０２７５】
例えば、与えられた実世界ブックマークの取得対象であった被制御機器が図３１に示す被制御機器９０２であり、実世界ブックマークの再現対象となる被制御機器が被制御機器９００であったとする。変更テーブル記憶部８８２に、被制御機器９００との被制御機器９０２との間でのパラメタ変更を行なうための変更テーブルを保持している。そこで、ブックマーク変更部８８６は、変更テーブル記憶部８８２より、その変更テーブルを用いて直接的にパラメタの変更を行なう。この変更を図３１のパス９２０により示す。具体的には、ブックマーク変更部８８６は、図３２に示す変更テーブル９５０に基づき、パラメタ「ｓｈａｒｐｎｅｓｓ」に対応する設定値を「ｓｏｆｔ」、「ｄｙｎａｍｉｃ」、及び「ｓｈａｒｐ」から、「０」、「１」、及び「２」にそれぞれ変更する。また具体的には、パラメタ「ｓｕｒｒｏｕｎｄ」の設定値として「５．１」という設定値が記載されていた場合、対応関係が成立しないので、このパラメタについての記載は省略される。
【手続補正２６】
【補正対象書類名】明細書
【補正対象項目名】０２７８
【補正方法】変更
【補正の内容】
【０２７８】
ブックマーク変更部８８６は、以上のようにして変更した実世界ブックマークを、実世界ブックマーク解読部８８８に与える。実世界ブックマーク解読部８８８は、図４に示す実世界ブックマーク解読部１９０と同様の動作で、パラメタの名称及び設定値を機器状態再現部１９２に与える。機器状態再現部１９２は、被制御機器の機器名及び種別が一致した場合と同様の動作で与えられた設定値を被制御機器１０８のパラメタに設定する。これにより、被制御機器１０８は、ブックマーク変更部により変更されたパラメタの名称及び設定値に従い動作を実行することになる。
【手続補正２７】
【補正対象書類名】明細書
【補正対象項目名】０２９３
【補正方法】変更
【補正の内容】
【０２９３】
また例えば、操作端末装置は、ユーザから実世界ブックマークの予約を受け、予約された時刻になると実世界ブックマークの取得動作を開始するようにすることも可能である。このようにすると、ユーザが所望する任意の時点における被制御機器の動作状態に関する実世界ブックマークを取得することが可能となる。
【手続補正２８】
【補正対象書類名】図面
【補正対象項目名】図２６
【補正方法】変更
【補正の内容】
【図２６】
2005151389.tif 000001